(57)【要約】【課題】ハーネスの横振れによるグロメット本体部への干渉を十分に吸収することができ、密着式でありながら防水性能を確保することができるハーネスグロメットを提供する。【解決手段】コネクタ２が設けられたハーネス３のコネクタ２外側を覆うと共に底部が開放されたグロメット本体部４と、該グロメット本体部４の天井部５の一端側からハーネス３を外部に引き出すためのハーネス挿通筒部６とを有し、上記コネクタ２が所定部位に嵌合される際に該所定部位周辺の壁面８に上記グロメット本体部４の開放端が密着されるハーネスグロメット１において、上記グロメット本体部４の天井部５側にハーネス３の左右方向の動きを吸収する空間部１１を形成すると共に、該天井部５を他の部分よりも柔軟に形成している。【選択図】図１
2008130518.tif 000002
【特許請求の範囲】
【請求項１】
コネクタが設けられたハーネスのコネクタ外側を覆うと共に底部が開放されたグロメット本体部と、該グロメット本体部の天井部の一端側からハーネスを外部に引き出すためのハーネス挿通筒部とを有し、上記コネクタが所定部位に嵌合される際に該所定部位周辺の壁面に上記グロメット本体部の開放端が密着されるハーネスグロメットにおいて、上記グロメット本体部の天井部側にハーネスの左右方向の動きを吸収する空間部を形成すると共に、該天井部を他の部分よりも柔軟に形成したことを特徴とするハーネスグロメット。
【請求項２】
上記天井部が断面山型の尾根形状に形成されていることを特徴とする請求項１記載のハーネスグロメット。
【請求項３】
上記ハーネス挿通筒部とグロメット本体部との間にはハーネス挿通筒部の上下方向の動きを許容する湾曲面部が形成されていることを特徴とする請求項１又は２記載のハーネスグロメット。
【発明の詳細な説明】
【技術分野】
【０００１】
本発明は、ハーネスグロメットに係り、特にコネクタが設けられたハーネスのコネクタ外側を覆うと共に底部が開放されたグロメット本体部を有し、コネクタを所定部位に嵌合する際に該所定部位周辺の壁面に開放端が密着されるハーネスグロメットに関するものである。
【背景技術】
【０００２】
ハーネスグロメットとしては、特許文献１に記載された固定式のもの他に、図９，図１０に示すような密着式のものが知られている。この密着式のハーネスグロメット１は、コネクタ２が設けられたハーネス３のコネクタ２外側を覆うと共に底部が開放されたグロメット本体部４と、該グロメット本体部４０の天井部５の一端側からハーネス３を外部に引き出すためのハーネス挿通筒部６とを有し、上記コネクタ２が所定部位に嵌合される際に該所定部位周辺の壁面８に上記グロメット本体部４の開放端が密着されるようになっている。
【０００３】
上記グロメット本体部４の天井部５は、ハーネス挿通筒部６の幅と同じ幅の半円筒状のハーネス通路１７を形成しており、コネクタ２から延出されたハーネスを左右方向から規制（拘束）しつつハーネス挿通筒部６に案内するようになっている。また、上記ハーネス挿通筒部６は、グロメット本体部４に対してほぼ直角に形成されている。
【０００４】
【特許文献１】特開２００３−２１９５４３号公報
【発明の開示】
【発明が解決しようとする課題】
【０００５】
しかしながら、上記ハーネスグロメット１においては、ハーネス３が横方向ないし左右方向（矢印Ｄ方向）に引っ張られると、グロメット本体部４が壁面８からずれて壁面８と接触しない部分が発生し、防水性能が落ちるという問題がある。また、ハーネス３が前方（矢印Ｃ方向）ないし上方向（縦方向）に引っ張られると、グロメット本体部４が壁面から浮き上がって壁面との間に隙間ｓが発生し、防水性能が落ちるという問題がある。このように、密着式のハーネスグロメットは、ハーネスの横振れや縦振れにより防水性能が損なわれやすいという問題がある。
【０００６】
なお、特許文献１に記載されているハーネスグロメットにおいては、固定式であるため、上述したような防水性能の問題はないが、グロメット本体を固定する構造であるため、構造が複雑となり、また、ハーネスの屈曲性を向上させるために大径な屈曲部を備えた構造で、大型化を余儀なくされるため、省スペース化が求められる場所には使用することができないという問題がある。
【０００７】
本発明は、上述した従来の技術の課題を解消し、ハーネスの横振れによるグロメット本体部への干渉を十分に吸収することができ、密着式でありながら防水性能を確保することができるハーネスグロメットを提供することを目的とする。
【課題を解決するための手段】
【０００８】
本発明は、コネクタが設けられたハーネスのコネクタ外側を覆うと共に底部が開放されたグロメット本体部と、該グロメット本体部の天井部の一端側からハーネスを外部に引き出すためのハーネス挿通筒部とを有し、上記コネクタが所定部位に嵌合される際に該所定部位周辺の壁面に上記グロメット本体部の開放端が密着されるハーネスグロメットにおいて、上記グロメット本体部の天井部側にハーネスの左右方向の動きを吸収する空間部を形成すると共に、該天井部を他の部分よりも柔軟に形成したことを特徴とする。
【０００９】
上記天井部が断面山型の尾根形状に形成されていることが好ましい。また、上記ハーネス挿通筒部とグロメット本体部との間にはハーネス挿通筒部の上下方向の動きを許容する湾曲面部が形成されていることが好ましい。
【発明の効果】
【００１０】
本発明によれば、グロメット本体部の天井部側にハーネスの左右方向の動きを吸収する空間部を形成すると共に、該天井部を他の部分よりも柔軟に形成したことにより、ハーネスの横振れによるグロメット本体部への干渉を十分に吸収することができ、密着式でありながら防水性能を確保することができる。
【発明を実施するための最良の形態】
【００１１】
以下に、本発明を実施するための最良の形態を添付図面に基いて詳述する。
【００１２】
図１は本発明の実施形態に係るハーネスグロメットの使用状態を示す断面図、図２は同ハーネスグロメットの斜視図、図３は同ハーネスグロメットの平面図、図４は同ハーネスグロメットの側面図、図５は図３のＡ−Ａ線断面図、図６は図３のＢ−Ｂ線断面図、図７はハーネス挿通筒部の横振れを説明する平面図、図８はハーネス挿通筒部の縦振れを説明する側面図である。
【００１３】
これらの図において、１はハーネスグロメットで、このハーネスグロメット１は、コネクタ２が設けられたハーネス３のコネクタ２外側を覆うと共に底部が開放（開口）されたグロメット本体部４と、該グロメット本体部４の天井部５の一端側からハーネス３を外部に引き出すためのハーネス挿通筒部６とを有している。
【００１４】
上記ハーネスグロメット１は、例えば合成樹脂により形成されている。ハーネス３は、例えばエアーバックのコントロールユニット（ＥＣＵ）１５のコネクタ７に接続される電気配線であり、ハーネス３の一端にはＥＣＵ１５側のコネクタ７に嵌合接続されるコネクタ２が設けられている。ＥＣＵ１５の一側部の壁面８における所定部位にはＥＣＵ１５側のコネクタ７が設けられている。
【００１５】
上記ハーネスグロメット１は、上記ハーネス３側のコネクタ２がＥＣＵ１５側のコネクタ７に嵌合される際に該ＥＣＵ１５側のコネクタ７周辺の壁面（取付面）８に上記グロメット本体部４の底部である開放端（開口端）が押圧密着されて取付けられるようになっている。グロメット本体部４は底部に開放部（開口部）１６を有する高さの低い扁平で平面長方形の中空箱状に形成されており、その開放端縁部には上記壁面底部８に密着する密着部である柔軟性を有するリップ部９が形成されている。また、グロメット本体部４はその高さ方向の弾性変形（伸縮）を吸収する蛇腹部１０を有していることが好ましい。
【００１６】
上記ハーネス挿通筒部６は、グロメット本体部４の天井部５の一端側（図１の実施形態では、下端側、図４では左端側）から斜め（図１では斜め下方、図４では斜め上方）に延出（突出）されている。また、ハーネス挿通筒部６は、図３に示すように平面から見て斜め一側方に向いて形成されていてもよい。
【００１７】
ハーネス３は、図１に示すようにＥＣＵ１５側のコネクタ７に嵌合されたハーネス３側のコネクタ２の位置からグロメット本体部４の内部を通ってハーネス挿通筒部６の方向に湾曲して導かれ、該ハーネス挿通筒部６内を通って外部に引き出されている。ハーネス挿通筒部６にハーネス３を挿通する場合には、例えば拡径治具によりハーネス挿通筒部６を拡径した状態でハーネス３を挿通し、拡径治具を取外すことで、ハーネス挿通筒部６が自らの弾性力で縮径してハーネス３を締め付けた状態に保持する。ハーネス挿通筒部６とこれより引き出されたハーネス３との間のシール性を高めるために、例えばハーネス挿通筒部６とこれより引き出されたハーネス３とに跨るようにビニールテープを巻き付けて密封（封止）するようにしてもよい。
【００１８】
このようにハーネスグロメット１は、ハーネス挿通筒部６にてハーネス３に固定されているため、ハーネス３側のコネクタ２をＥＣＵ１５側のコネクタ７に嵌合すると、ハーネス３を介してハーネス挿通筒部６に作用する引張力によりグロメット本体部４をＥＣＵ１５の壁面８に押圧する押圧力が発生し、この押圧力が蛇腹部１０を圧縮して蛇腹部１０に蓄えられると共にその押圧力でリップ部９が上記壁面８に密着されて水密性ないし防水性能を保持するようになっている。
【００１９】
上記グロメット本体部４の天井部５側にはハーネス３の横振れ（左右方向への引っ張り）に伴うグロメット本体部４内におけるハーネス３の左右方向の動き（振れ）を吸収する（すなわちハーネスの左右方向の動きを拘束しない）空間部１１が形成されると共に、該天井部５がグロメット本体部４の他の部分よりも柔軟に形成されている。すなわち、ハーネス挿通筒部６から引き出されているハーネス３が左右方向に引っ張られると、これに伴って天井部５が左右方向に弾性変形し、例えば天井部５が左方に弾性変形するとその反動でグロメット本体部４内におけるハーネス３が右方へ動く（振られる）ようになり、このグロメット本体部４内のハーネス３の動きをグロメット本体部４で拘束するとグロメット本体部４自体が捻られて移動してしまう。
【００２０】
これを防止するために、天井部５にはハーネス３の左右方向の動きを吸収する空間部１１が形成されると共に、該天井部５がグロメット本体部４の他の部分（例えばハーネス挿通筒部６）よりも柔軟に形成されている。ここで、天井部５に空間部１１を形成する場合、例えば天井部５の高さを高く形成したり、天井部５を半円筒状ないし蒲鉾状に形成したり、或いは天井部５の高さ（すなわちグロメット本体部４の高さ）を低く抑える（ハーネスグロメットのコンパクト化を図る）ために天井部５をできるだけ扁平（空間部１１も扁平になる）に形成したり、或いは天井部５を断面山型の尾根形状（屋根形状）に形成することが考えられる。また、天井部５を他の部分よりも柔軟に形成する場合、天井部５をハーネス挿通筒部６よりも柔かい材料により形成したり、天井部５をハーネス挿通筒部６よりも肉厚を薄く形成したり、或いは天井部５を例えば断面山型の尾根形状することが考えられる。そこで、本実施形態では、天井部５を断面山型の尾根形状に形成することにより、天井部５の高さを抑えつつ扁平な空間部１１を確保すると共に同時に天井部５の柔軟性を高めている。
【００２１】
上記天井部５における尾根部１２は、断面曲面状に形成されていると共に、上記ハーネス挿通筒部６の上面部と連続するように傾斜して形成されている。すなわち、尾根部１２はハーネス３をハーネス挿通筒部６に挿通する方向に連続して形成されている。これにより、天井部５内の空間部１１は、後端側から前端側（ハーネス挿通筒部側）に向って断面積が漸増するように形成されている。従って、ハーネス挿通筒部６の近傍の空間部１１が最も広く形成されているため、ハーネス３の左右方向の動きを十分に吸収し得るようになっている。また、天井部５は、後端側に行くほど高さが低く扁平になっており、グロメット本体部４のコンパクト化が図られているため、省スペース化が求められる場所にも使用することができるようになっている。
【００２２】
一方、ハーネス３が上方向（縦方向）へ引っ張られることによる壁面８からのグロメット本体部４の浮き上がりを防止するために、上記ハーネス挿通筒部６とグロメット本体部４との間にはハーネス挿通筒部６の上下方向の動きを許容する湾曲面部１３が形成されている。この湾曲面部１３は、ハーネス挿通筒部６の下面部及び天井部５の前縁部とグロメット本体部４の前端側上縁部とを結ぶように湾曲面状に形成されている。天井部５自体が弾性変形し易い軟質性ないし低剛性に形成されていることと相俟って、上記湾曲面部１３による上下方向の弾性変形吸収機能によりリップ部９を上方に持ち上げることなくハーネス３の上下方向の振れを吸収することができ、これにより取付面である上記壁面８に対するリップ部９の密着性を堅持することができるようになっている。
【００２３】
以上の構成からなるハーネスグロメット１によれば、グロメット本体部４の天井部５にハーネス３の左右方向の動きを吸収する空間部１１が形成されていると共に天井部５がハーネス挿通筒部６の横振れ方向に対して柔軟に構成されているため、ハーネス挿通筒部６が横方向に動いた場合でも、その変形がグロメット本体部４に伝達されず、グロメット本体部４の開放端縁部であるリップ部９の壁面８に対する密着性を十分に堅持することが可能となり、固定式でなく、密着式でありながら、水密性ないし防水性能を十分に保持することができるという効果を奏することができる。
【００２４】
また、密着式であるため、固定式と異なり、構造の簡素化が図れると共にグロメット本体部４を容易に壁面８に取付けることができて取付性及びメンテナンス性の向上が図れる。
【００２５】
特に、グロメット本体部４の天井部５が断面山形の尾根形状に形成されているため、天井部５内にハーネス３の左右方向の動きを吸収ないし許容しうる扁平で幅広の空間部１１を確保することができると共に同時に天井部５の柔軟性を高めることができ、ハーネス３の横振れに起因するグロメット本体部４の壁面８上の移動（ずれ）を防止できて防水性能を堅持できる。しかも、グロメット本体部４及びハーネスグロメット１全体のコンパクト化が図れるため、省スペース化が求められる場所にも使用することができる。
【００２６】
また、上記ハーネス挿通筒部６とグロメット本体部４との間にはハーネス挿通筒部６の上下方向の動きを許容する湾曲面部１３が形成されているため、該湾曲面部１３の弾性変形吸収機能によりリップ部９を上方に持ち上げることなくハーネス３の上下方向の振れを吸収することができ、壁面８に対するリップ部９の密着性を堅持して水密性ないし防水性能を堅持することができる。特に、上記天井部５の断面山形の尾根形状と、上記湾曲面部１３とを共に採用することにより、ハーネス３の全方向への振れに対してハーネス３のグロメット本体部４への干渉を十分に吸収することができ、リップ部９の止水性ないし防水性能を飛躍的に向上させることができる。
【００２７】
以上、本発明の実施の形態を図面により詳述してきたが、本発明は前記実施の形態に限定されるものではなく、本発明の要旨を逸脱しない範囲での種々の設計変更が可能である。
【図面の簡単な説明】
【００２８】
【図１】本発明の実施形態に係るハーネスグロメットの使用状態を示す断面図である。
【図２】同ハーネスグロメットの斜視図である。
【図３】同ハーネスグロメットの平面図である。
【図４】同ハーネスグロメットの側面図である。
【図５】図３のＡ−Ａ線断面図である。
【図６】図３のＢ−Ｂ線断面図である。
【図７】ハーネス挿通筒部の横振れを説明する平面図である。
【図８】ハーネス挿通筒部の縦振れを説明する側面図である。
【図９】従来のハーネスグロメットの一例を示す断面図である。
【図１０】同ハーネスグロメットを正面側から見た図である。
【符号の説明】
【００２９】
１  ハーネスグロメット
２  コネクタ
３  ハーネス
４  グロメット本体部
５  天井部
６  ハーネス挿通筒部
８  壁面
１１  空間部
１３  湾曲面部
【図１】
2008130518.tif 000003
【図２】
2008130518.tif 000004
【図３】
2008130518.tif 000005
【図４】
2008130518.tif 000006
【図５】
2008130518.tif 000007
【図６】
2008130518.tif 000008
【図７】
2008130518.tif 000009
【図８】
2008130518.tif 000010
【図９】
2008130518.tif 000011
【図１０】
2008130518.tif 000012